(57)【要約】【課題】ユーザが携帯用送受信機を車両内外で紛失した場合に、当該携帯用送受信機を容易に探し出せるようにしたキーレスエントリシステムを提供する。【解決手段】車両に設置された車載装置から送信される認証リクエスト信号に応答して、ユーザの携帯する携帯用送受信機から送信される固有のＩＤ信号を当該車載装置が受信し、受信した車載装置が当該固有のＩＤ信号の認証に成功した場合に、車両の施錠開錠を制御するキーレスエントリシステムであって、車載装置は、複数のアンテナを利用して携帯用送受信機の所在位置を検出し、検出した当該携帯用送受信機の車両内外での所在位置を表示する所在表示報知部を含む。【選択図】図１
2009249962.tif 000002
【特許請求の範囲】
【請求項１】
車両に設置された車載装置から送信される認証リクエスト信号に応答して、ユーザの携帯する携帯用送受信機から送信される固有のＩＤ信号を当該車載装置が受信し、受信した車載装置が当該固有のＩＤ信号の認証に成功した場合に、車両の施錠開錠を制御するキーレスエントリシステムであって、
前記車載装置は、
複数のアンテナを利用して前記携帯用送受信機の所在位置を検出し、検出した当該携帯用送受信機の車両内外での所在位置を表示する所在表示報知部を含む、キーレスエントリシステム。
【請求項２】
前記車載装置は、更に、
前記携帯用送受信機の捜索指示をユーザから受付ける捜索指示受付け部と、
前記捜索指示受付け部が受付けた捜索指示に応答して、捜索信号を送信する複数のアンテナとを含み、
前記携帯用送受信機は、
前記アンテナから送信されてくる捜索信号を受信する捜索信号受信部と、
前記捜索信号受信部が受信した捜索信号を送信しているアンテナを識別するアンテナ識別部と、
前記アンテナ識別部が識別したアンテナの識別情報を前記車載装置に送信するアンテナ識別情報送信部とを含み、
前記車載装置は、更に、
前記アンテナ識別情報送信部から送信されてくるアンテナの識別情報を受信するアンテナ識別情報受信部とを含み、
所在表示報知部は、
前記アンテナ識別情報受信部が受信した識別情報に対応するアンテナが送信する捜索信号の送信エリアを前記携帯用送受信機の存在エリアとして表示することで、当該携帯用送受信機の車両内外での所在位置を表示することを特徴とする、請求項１に記載のキーレスエントリシステム。
【請求項３】
前記所在表示報知部は、前記アンテナ識別情報受信部が受信した識別情報に対応するアンテナが複数ある場合、当該複数のアンテナが送信する捜索信号の送信エリアの重複エリアを前記携帯用送受信機の存在エリアとして表示することで、当該携帯用送受信機の車両内での所在位置を表示することを特徴とする、請求項２に記載のキーレスエントリシステム。
【発明の詳細な説明】
【技術分野】
【０００１】
本発明は、キーレスエントリシステムに関し、より特定的には、ユーザが携帯用送受信機を車両内外で紛失した場合に、当該携帯用送受信機を容易に探し出せるようにしたキーレスエントリシステムに関する。
【背景技術】
【０００２】
従来、ユーザが携帯用送受信機を車両内で紛失した場合に、当該携帯用送受信機を容易に探し出せるようにしたキーレスエントリシステムとして、以下のような構成のシステムが存在した。
【０００３】
携帯用送受信機は、ＧＰＳ受信機を備えており、受信したＧＰＳ信号に基づき、当該携帯用送受信機の現在位置を算出する。ユーザが携帯用送受信機を捜索するために、車載装置で所定の捜索操作を行うと、当該携帯用送受信機が捜索信号を受信し、ＧＰＳ信号に基づいて算出された現在位置の情報を車載装置に送信する。車載装置は、受信した現在位置の情報に基づき、表示部を介して携帯用送受信機の現在位置をユーザに知らせる（例えば、特許文献１参照）。
【特許文献１】特開２００６−４５９９３号公報
【発明の開示】
【発明が解決しようとする課題】
【０００４】
しかしながら、上述した従来のシステムにおいて、ＧＰＳ受信機は、車両内のような反射物の多い場所においては、ＧＰＳ信号を確実に受信することができない場合が多く、現在位置が正確に算出されないため、携帯用送受信機の正確な現在位置をユーザに知らせることができない。そのため、ユーザは、携帯用送受信機を車両内で紛失した場合、当該携帯用送受信機を容易に探し出すことができない。
【０００５】
そこで、本発明は、上記問題に鑑みてなされた。すなわち、ユーザが携帯用送受信機を車両内外で紛失した場合に、当該携帯用送受信機を容易に探し出せるようにしたキーレスエントリシステムを提供することを目的とする。
【課題を解決するための手段】
【０００６】
本発明の第１の局面は、車両に設置された車載装置から送信される認証リクエスト信号に応答して、ユーザの携帯する携帯用送受信機から送信される固有のＩＤ信号を当該車載装置が受信し、受信した車載装置が当該固有のＩＤ信号の認証に成功した場合に、車両の施錠開錠を制御するキーレスエントリシステムに向けられている。本発明において、車載装置は、複数のアンテナを利用して携帯用送受信機の所在位置を検出し、検出した当該携帯用送受信機の車両内外での所在位置を表示する所在表示報知部を含む。
【０００７】
これにより、ユーザが携帯用送受信機を車両内外で紛失した場合に、その正確な所在を表示して報知できるため、当該携帯用送受信機を容易に探し出せるキーレスエントリシステムを提供することができる。
【０００８】
また、車載装置は、更に、携帯用送受信機の捜索指示をユーザから受付ける捜索指示受付け部と、捜索指示受付け部が受付けた捜索指示に応答して、捜索信号を送信する複数のアンテナとを含み、携帯用送受信機は、アンテナから送信されてくる捜索信号を受信する捜索信号受信部と、捜索信号受信部が受信した捜索信号を送信しているアンテナを識別するアンテナ識別部と、アンテナ識別部が識別したアンテナの識別情報を前記車載装置に送信するアンテナ識別情報送信部とを含み、車載装置は、更に、アンテナ識別情報送信部から送信されてくるアンテナの識別情報を受信するアンテナ識別情報受信部とを含み、所在表示報知部は、アンテナ識別情報受信部が受信した識別情報に対応するアンテナが送信する捜索信号の送信エリアを前記携帯用送受信機の存在エリアとして表示することで、当該携帯用送受信機の車両内外での所在位置を表示することが好ましい。
【０００９】
これにより、ユーザが携帯用送受信機を車両内外で紛失した場合に、その正確な所在を表示して報知できるため、当該携帯用送受信機を容易に探し出せるキーレスエントリシステムを提供することができる。
【００１０】
また、所在表示報知部は、アンテナ識別情報受信部が受信した識別情報に対応するアンテナが複数ある場合、当該複数のアンテナが送信する捜索信号の送信エリアの重複エリアを前記携帯用送受信機の存在エリアとして、当該携帯用送受信機の車両内での所在を報知することが好ましい。
【００１１】
これにより、ユーザが携帯用送受信機を車両内で紛失した場合に、その所在をより正確に表示して報知できるため、当該携帯用送受信機を容易に探し出せるキーレスエントリシステムを提供することができる。
【発明の効果】
【００１２】
以上説明したように、本発明の各局面によれば、ユーザが携帯用送受信機を車両内外で紛失した場合に、当該携帯用送受信機を容易に探し出せるようにしたキーレスエントリシステムを提供することができる。
【発明を実施するための最良の形態】
【００１３】
（第１の実施形態）
以下、本発明の第１の実施の形態に係るキーレスエントリシステムについて図面に従って詳細に説明する。
【００１４】
図１は、本発明の第１の実施の形態に係るキーレスエントリシステム１００の全体構成を示すブロック図である。キーレスエントリシステム１００は、ユーザが携帯する携帯用送受信機１１０と車両に設置された車載装置１２０との間で電子認証を行うことにより、車両の施錠開錠を制御する。
【００１５】
図１において、携帯用送受信機１１０は、認証リクエスト信号受信部１１１、ＩＤ信号送信部１１２、捜索信号受信部１１３、アンテナ識別部１１４、及びアンテナ識別情報送信部１１５を備える。一方、車載装置１２０は、認証リクエスト信号送信部１２１、ＩＤ信号受信部１２２、ＩＤ信号認証部１２３、施錠制御部１２４、捜索指示受付け部１２５、アンテナ１２６、アンテナ識別情報受信部１２７、及び所在表示報知部１２８を備える。
【００１６】
携帯用送受信機１１０において、認証リクエスト信号受信部１１１は、車載装置１２０の認証リクエスト信号送信部１２１から送信されるリクエスト信号を受信する。
【００１７】
ＩＤ信号送信部１１２は、認証リクエスト信号受信部１１１が認証リクエスト信号を受信すると、固有のＩＤ信号を車載装置１２０に送信する。
【００１８】
また、車載装置１２０において、ＩＤ信号受信部１２２は、携帯用送受信機１１０のＩＤ信号送信部１１２から送信されるＩＤ信号を受信する。
【００１９】
ＩＤ信号認証部１２３は、信号受信部１２２がＩＤ信号を受信すると、ＩＤ信号の電子認証を行う。
【００２０】
施錠制御部１２４は、ＩＤ信号認証部１２３で認証が成功すると、車両の施錠開錠を制御する。
【００２１】
捜索指示受付け部１２５は、ユーザが車両内で携帯用送受信機１１０を紛失した場合等により、当該携帯用送受信機１１０を捜索したいときに、ユーザから捜索指示を受付ける、例えば入力操作ボタン、音声入力装置である。
【００２２】
アンテナ１２６は、捜索指示受付け部１２５で受付けた捜索指示に基づき、対応する捜索信号を携帯用送受信機１１０に送信する。
【００２３】
また、携帯用送受信機１１０において、捜索信号受信部１１３は、車載装置１２０の複数のアンテナ１２６から送信される捜索信号を受信する。
【００２４】
アンテナ識別部１１４は、捜索信号受信部１１３が捜索信号を受信すると、受信した捜索信号を送信しているアンテナを識別する。
【００２５】
アンテナ識別情報送信部１１５は、アンテナ識別部１１４が識別したアンテナの識別情報を車載装置１２０に送信する。
【００２６】
また、車載装置において、アンテナ識別情報受信部１２７は、携帯用送受信機１１０のアンテナ識別情報送信部１１５から送信されるアンテナの識別情報を受信する。
【００２７】
所在表示報知部１２８は、アンテナ識別情報受信部１２７が受信した識別情報に対応するアンテナが送信する捜索信号の送信エリアを携帯用送受信機１１０の存在エリアとして表示することで、当該携帯用送受信機１１０の車両内外での所在を報知する、例えば液晶ディスプレイ、有機ＥＬディスプレイである。
【００２８】
次に、本発明の第１の実施の形態に係るキーレスエントリシステム１００の動作を図２のフロー図に従って説明する。
【００２９】
まず、捜索指示受付け部１２５は、ユーザが車両内で携帯用送受信機１１０を紛失した場合等により、当該携帯用送受信機１１０を捜索したいときに、ユーザから捜索指示を受付ける（ステップＳ２０１）。
【００３０】
次に、アンテナ１２６は、捜索指示受付け部１２５で受付けた捜索指示に基づき、対応する捜索信号を携帯用送受信機１１０に送信する（ステップＳ２０２）。
【００３１】
次に、捜索信号受信部１１３は、車載装置１２０のアンテナ１２６から送信される捜索信号を受信する（ステップＳ２０３）。
【００３２】
次に、アンテナ識別部１１４は、捜索信号受信部１１３が捜索信号を受信すると、受信した捜索信号を送信しているアンテナを識別する。アンテナ識別情報送信部１１５は、アンテナ識別部１１４が識別したアンテナの識別情報を車載装置１２０に送信する（ステップＳ２０４）。
【００３３】
次に、アンテナ識別情報受信部１２７は、携帯用送受信機１１０のアンテナ識別情報送信部２１５から送信されるアンテナの識別情報を受信する（ステップＳ２０５）。
【００３４】
所在表示報知部１２８は、アンテナ識別情報受信部１２７が受信した識別情報に対応するアンテナが送信する捜索信号の送信エリアを、図３に示すように、携帯用送受信機１１０の存在エリアＡとして表示することで、当該携帯用送受信機１１０の車両内での所在を報知する（ステップＳ２０６）。
【００３５】
このように、本発明によれば、ユーザが携帯用送受信機を車両内外で紛失した場合に、その正確な所在を表示して報知できるため、当該携帯用送受信機を容易に探し出せるキーレスエントリシステムを提供することができる。
【００３６】
なお、所在表示報知部１２８は、アンテナ識別情報受信部１２７が受信した識別情報に対応するアンテナが複数ある場合、図４に示すように、当該複数のアンテナが送信する捜索信号の送信エリアＢと送信エリアＣの重複エリアＥを、携帯用送受信機１１０の存在エリアとして表示することで、当該携帯用送受信機１１０の車両内での所在を報知する構成としてもよい。
【００３７】
これにより、ユーザが携帯用送受信機を車両内で紛失した場合に、その所在をより正確に表示して報知できるため、当該携帯用送受信機を容易に探し出せるキーレスエントリシステムを提供することができる。
【００３８】
また、アンテナ１２６は、車両のドアハンドルに設定したアンテナであってもよい。また、アンテナ１２６に指向性を持たせて、当該アンテナ１２６が捜索信号を送信するそれぞれの送信エリアを、図５に示すように、送信エリアａ、送信エリアｂ、送信エリアｃ、送信エリアｄのように車両の外側に向けてもよい。このとき、例えば、アンテナ識別情報受信部１２７が受信した識別情報に対応するアンテナの送信エリアが送信エリアａである場合、送信エリアａの領域を他の送信エリアよりも強調表示等して、車両外の送信エリアａの位置に携帯用送受信機１１０があることを表示することで、当該携帯用送受信機１１０の車両外での所在を報知する構成としてもよい。
【００３９】
これにより、ユーザが携帯用送受信機を車両外で紛失した場合に、その所在をより正確に表示して報知できるため、当該携帯用送受信機を容易に探し出せるキーレスエントリシステムを提供することができる。
【００４０】
また、携帯用送受信機１１０に、正規キー、予備キー、他人のキーとがある場合、ＩＤを識別することで、正規キーと予備キー、及び他人のキーの所在位置を区別可能に表示する構成としてもよい。
【００４１】
（第２の実施形態）
以下、本発明の第２の実施の形態に係るキーレスエントリシステムについて、図面に従って、詳細に説明する。
【００４２】
図６は、本発明の第２の実施の形態に係るキーレスエントリシステム２００の全体構成を示すブロック図である。図６において、キーレスエントリシステム２００は、ユーザが携帯する携帯用送受信機２１０と車両に設置された車載装置２２０との間で電子認証を行うことにより、車両の施錠開錠を制御する。
【００４３】
図６において、携帯用送受信機２１０は、認証リクエスト信号受信部２１１、ＩＤ信号送信部２１２、捜索信号受信部２１３、及び所在音声振動報知部２１４を備える。一方、車載装置２２０は、認証リクエスト信号送信部２２１、ＩＤ信号受信部２２２、ＩＤ信号認証部２２３、施錠制御部２２４、捜索指示受付け部２２５、及び捜索信号送信部２２６を備える。
【００４４】
携帯用送受信機２１０において、認証リクエスト信号受信部２１１は、車載装置２２０の認証リクエスト信号送信部２２１から送信されるリクエスト信号を受信する。
【００４５】
ＩＤ信号送信部２１２は、認証リクエスト信号受信部２１１が認証リクエスト信号を受信すると、固有のＩＤ信号を車載装置２２０に送信する。
【００４６】
また、車載装置２２０において、ＩＤ信号受信部２２２は、携帯用送受信機２１０のＩＤ信号送信部２１２から送信されるＩＤ信号を受信する。
【００４７】
ＩＤ信号認証部２２３は、信号受信部２２２がＩＤ信号を受信すると、ＩＤ信号の電子認証を行う。
【００４８】
施錠制御部２２４は、ＩＤ信号認証部２２３で認証が成功すると、車両の施錠開錠を制御する。
【００４９】
捜索指示受付け部２２５は、ユーザが車両内で携帯用送受信機２１０を紛失した場合等により、当該携帯用送受信機２１０を捜索したいときに、ユーザから捜索指示を受付ける、例えば入力操作ボタン、音声入力装置である。
【００５０】
捜索信号送信部２２６は、捜索指示受付け部２２５で受付けた捜索指示に基づき、対応する捜索信号を携帯用送受信機２１０に送信する。
【００５１】
また、携帯用送受信機２１０において、捜索信号受信部２１３は、車載装置２２０の捜索信号送信部２２６から送信される捜索信号を受信する。
【００５２】
所在音声振動報知部２１４は、捜索信号受信部２１３が捜索信号を受信すると、音声により、携帯用送受信機２１０の車両内での所在を報知する、例えば音声出力装置である。なお、所在音声振動報知部２１４は、振動により、携帯用送受信機２１０の車両内での所在を報知する構成であってもよいし、音声、及び振動の組合せにより、携帯用送受信機２１０の車両内での所在を報知する構成であってもよい。
【００５３】
次に、本発明の第２の実施の形態に係るキーレスエントリシステム１００の動作を図２のフロー図に従って説明する。
【００５４】
まず、捜索指示受付け部２２５は、ユーザが車両内で携帯用送受信機２１０を紛失した場合等により、当該携帯用送受信機２１０を捜索したいときに、ユーザから捜索指示を受付ける（ステップＳ７０１）。
【００５５】
次に、捜索信号送信部２２６は、捜索指示受付け部２２５で受付けた捜索指示に基づき、対応する捜索信号を携帯用送受信機２１０に送信する（ステップＳ７０２）。
【００５６】
次に、捜索信号受信部２１３は、車載装置２２０の捜索信号送信部２２６から送信される捜索信号を受信する（ステップＳ７０３）。
【００５７】
次に、所在音声振動報知部２１４は、捜索信号受信部２１３が捜索信号を受信すると、音声により、携帯用送受信機２１０の車両内での所在を報知する（ステップＳ７０４）。
【００５８】
このように、本発明によれば、ユーザが携帯用送受信機を車両内で紛失した場合に、その正確な所在を音声により報知できるため、当該携帯用送受信機を容易に探し出せるキーレスエントリシステムを提供することができる。
【００５９】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００６０】
ユーザが携帯用送受信機を車両内外で紛失した場合に、当該携帯用送受信機を容易に探し出せるようにしたキーレスエントリシステム等として有用である。
【図面の簡単な説明】
【００６１】
【図１】本発明の第１の実施の形態に係るキーレスエントリシステムの全体構成を示すブロック図
【図２】本発明の第１の実施の形態に係るキーレスエントリシステムの動作を示すフロー図
【図３】携帯用送受信機の車両内での所在報知の表示例を示す模式図
【図４】携帯用送受信機の車両内での所在報知の表示例を示す模式図
【図５】携帯用送受信機の車両外での所在報知の表示例を示す模式図
【図６】本発明の第２の実施の形態に係るキーレスエントリシステムの全体構成を示すブロック図
【図７】本発明の第２の実施の形態に係るキーレスエントリシステムの動作を示すフロー図
【符号の説明】
【００６２】
１００  キーレスエントリシステム
１１０  携帯用送受信機
１１１  認証リクエスト信号受信部
１１２  ＩＤ信号送信部
１１３  捜索信号受信部
１１４  アンテナ識別部
１１５  アンテナ識別情報送信部
１２０  車載装置
１２１  認証リクエスト信号送信部
１２２  ＩＤ信号受信部
１２３  ＩＤ信号認証部
１２４  施錠制御部
１２５  捜索指示受付け部
１２６  アンテナ
１２７  アンテナ識別情報受信部
１２８  所在表示報知部
２００  キーレスエントリシステム
２１０  携帯用送受信機
２１１  認証リクエスト信号受信部
２１２  ＩＤ信号送信部
２１３  捜索信号受信部
２１４  所在音声振動報知部
２２０  車載装置
２２１  認証リクエスト信号送信部
２２２  ＩＤ信号受信部
２２３  ＩＤ信号認証部
２２４  施錠制御部
２２５  捜索指示受付け部
２２６  捜索信号送信部
【図１】
2009249962.tif 000003
【図２】
2009249962.tif 000004
【図３】
2009249962.tif 000005
【図４】
2009249962.tif 000006
【図５】
2009249962.tif 000007
【図６】
2009249962.tif 000008
【図７】
2009249962.tif 000009